(57)【要約】      （修正有）【課題】サッカーやバレーボールなどの球技において得点や判定における人為的ミスを低減する。【解決手段】ボール内に設けたボール内接続モジュール１は通信手段３とコネクタ４により電子基板２に対してアクセス可能にし、データ送信と、情報のやりとりと、電子基板２に組み込まれたバッテリの再充電とを可能にする。また電子基板２はコートの周囲のラインまたはゴールポストの内側に配置したアンテナと協同し、アンテナでボールからの信号を受信し判定の助けとすることが出来る。【選択図】図１
2008006284.tif 000002
【特許請求の範囲】
【請求項１】
通信手段（３）により電子基板（２）に対して相互接続されることにより、データ送信と、情報のやりとりと、前記電子基板（２）に組み込まれて該電子基板を給電するバッテリ（６）の再充電とを可能にするとともに、一端が前記通信手段（３）によって前記電子基板（２）に接続されるボール内接続モジュール（１）であって、
データを集め、前記バッテリ（６）を再充電し、情報をやりとりし或いは前記電子基板（２）の動作を抑制することを目的とする前記電子基板（２）への内部アクセスを可能にするピンが導入されるコネクタ（４）を備えていることを特徴とする、ボール内接続モジュール。
【請求項２】
前記電子基板（２）は、スポーツボールの使用に関するデータを収集して、無線手段によりデータを転送するとともに、前記スポーツボールの中心に設けられ、前記スポーツボールの内径を横切る硬質ストリップ内に配置されていることを特徴とする、請求項１に記載のボール内接続モジュール。
【請求項３】
前記電子基板（２）により収集されたデータが前記接続モジュール（１）によって集められることを特徴とする、請求項１に記載のボール内接続モジュール。
【請求項４】
ピン（５）が前記コネクタ（４）内に配置されると、内部キー（４ａ）がＯＦＦとなり、前記電子基板（２）のバッテリの接続が断たれることを特徴とする、請求項３に記載のボール内接続モジュール。
【請求項５】
前記コネクタ（４）が前記バッテリ（６）の再充電を可能にすることを特徴とする、請求項３に記載のボール内接続モジュール。
【請求項６】
前記通信手段（３）がコードであることを特徴とする、請求項１に記載のボール内接続モジュール。
【発明の詳細な説明】
【技術分野】
【０００１】
この特許は、スポーツボール内に導入される電気装置及び／又は電子装置を特定のコネクタおよびピンにより接続するためのボール内接続モジュールに関する。
【背景技術】
【０００２】
スポーツの試合においては、多くの関心およびかなりの数の投資家が関与しているため、完璧な結果が益々求められている。
【０００３】
現在、サッカーのゴールの得点やバレーボールの得点など、スポーツの試合の判定においては、ミスの数が増えてきている。
【０００４】
そのようなミスは、人為的な誤りによって、また、試合を管理するレフリーによって起こる。これらのミスは、試合のリプレーを見ることによって容易にチェックできる。
【０００５】
以上を考慮して、ミスの繰り返しを避けるためには、世界中のスポーツの競技場／コートでテクノロジーが益々使用されるべきである。
【発明の開示】
【発明が解決しようとする課題】
【０００６】
ボールを検出するために使用される幾つかの要素が従来技術において使用されている。しかしながら、これらの要素は、ボール内部センサに給電するバッテリの充電器を運ぶことができないなど、幾つかの欠点を示す。
【０００７】
また、前記バッテリは連続的にＯＮされ、したがって、完全充電を急速に消耗する。
【課題を解決するための手段】
【０００８】
本発明の目的は、通信手段により電子基板に対して相互接続されることにより、データ送信と、情報のやりとりと、電子基板に組み込まれて電子基板を給電するバッテリの再充電とを可能にするとともに、その一端が通信手段によって基板に接続されるボール内接続モジュールによって達成される。
【０００９】
接続モジュールは、データを集め、バッテリを再充電し、情報をやりとりし或いは基板の動作を妨げることを目的とする電子基板への内部アクセスを可能にするピンが導入されるコネクタを備えている。
【発明を実施するための最良の形態】
【００１０】
図１から分かるように、接続モジュール１の機能は、通信手段３により互いに接続され且つデータ送信を可能にする電子基板２へのアクセスと、情報のやりとりと、電子基板２に組み込まれて電子基板を給電するバッテリ６の再充電とを可能にすることであり、接続モジュール１の一端部は通信手段３によって基板２に対して接続されている。
【００１１】
通信手段３は、本発明の教示内容にしたがって機能するコードまたは任意の他の手段であっても良い。
【００１２】
接続モジュール１は、好ましくは３つの位置をとるコネクタ４を備えている。コネクタは、主な特徴として、適切なピンが位置されるときに１つの位置または他の位置を互いに接続する内部キー４ａを備えている。図２はこの特徴を示している。
【００１３】
コネクタ４は、ゴム中に封入されていることが好ましく、ボール膨張ニードルが取り付けられている位置と正反対の位置でボールに取り付けられている。
【００１４】
データを集め、バッテリ６を再充電し、情報をやりとりし或いは基板２の動作を妨げることを目的とする電子基板２への内部アクセスを可能にするピンが外部からコネクタ４内に導入される。
【００１５】
電子基板２は、スポーツボールの使用に関するデータを収集するとともに、無線手段によりデータを転送しても良く、また、ボールの中心に設けられ、スポーツボールの内径を横切る硬質ストリップ（図示せず）内に配置されている。
【００１６】
この硬質ストリップには、例えばＴＰＵ、ＰＵ、ＰＶＣ、ゴム、ＳＢＲ、ニトリルおよび他の無色または有色の化合物などの任意の機能的な材料が設けられており、また、電子基板２のアタッチメントは、それが本発明の教示内容に従うならば、任意の種類のものである。
【００１７】
上記電子基板２は、受信装置、好ましくは、干渉を避けるための外装が設けられ且つ競技場／コートの周囲のラインまたはサッカー／ハンドボールのゴールポストの内側に配置されたアンテナと協働することができる。
【００１８】
アンテナは信号を本部へ送り、また、本部は、ボールがこれらのラインを横切るときに試合のレフリーに警告する。レフリーには信号装置が備えられる。
【００１９】
したがって、ボールが競技場／コートの周囲のラインを横切ると、レフリーは、ボールがラインを横切ったという絶対的な確信を得て、ゴールを有効とし、ポイントをとり、あるいは、ボールが競技場／コートから外へ出たことを決定する。
【００２０】
また、電子基板２により収集されたデータは、接続モジュール１によって集められても良い。
【００２１】
また、コネクタ４は、バッテリ再充電およびＯＮ／ＯＦＦ機能を可能にする。ピン５がコネクタ内に配置されると、内部キー４ａがＯＦＦとなり、基板２のバッテリの接続が断たれる。その結果、基板２が分離され、充電器がバッテリのみに作用し、したがって、バッテリの再充電が可能になる。
【００２２】
充電器は、適切な出力電圧を有する市販の標準的な充電器から適合される。その出口は、電圧調整器として機能する電子モジュールおよびバッテリフルチャージインジケータに対して接続される。
【００２３】
充電器の出力電圧は、使用されるバッテリ６の電圧によって決定される。バッテリ６のフルチャージ（完全充電）を表示するために、コンパレータが使用されるとともに、バッテリが再充電されたか否かをユーザに通知するべく光表示が行なわれる。
【００２４】
ＯＮ／ＯＦＦピン５は、電子基板２を作動させる必要無くボールを持ち運び或いは保管するため、すなわち、バッテリをＯＦＦにし従って電子基板が作動できないようにする有効な機能を実行するために使用されても良い。図４は、接続モジュール１の動作を示している。
【００２５】
無論、以上は本発明の説明に役立つ実施例として記載されているが、当業者であれば明らかなように、本発明の他の変更および変形の全てが添付の請求項に従って本発明の幅広い範囲内に入ると見なされることは言うまでもない。
【図面の簡単な説明】
【００２６】
【図１】本発明の対象であるモジュールの概略図である。
【図２】本発明の対象であるモジュールコネクタの断面図である。
【図３】本発明の対象であるモジュールのＯＮ／ＯＦＦピンの概略図である。
【図４】本発明の対象であるモジュールの第２の概略図である。
【図１】
2008006284.tif 000003
【図２】
2008006284.tif 000004
【図３】
2008006284.tif 000005
【図４】
2008006284.tif 000006